(57)【要約】【課題】  アンダーカットが非常に長くても円滑に型開きができる金型のスライドコア制御装置を提供することを目的とする。【解決手段】  固定型１にはスライドコア６が左右方向に移動できるように支持される。スライドコア６の左端面には長いピン７が固定され、キャビティ５の奥深くまで挿入される。スライドコア６には傾斜孔８が開いている。可動型３には固定部材９が固定され、固定部材９には傾斜孔１０が開けられる。傾斜孔１０には傾斜ピン１１が固定され、傾斜ピン１１は前記のスライドコア６の傾斜孔８に挿入され摺動する。【選択図】  図１
2006056226.tif 000002
【特許請求の範囲】
【請求項１】
固定型および可動型からなる金型であって、前記固定型および前記可動型のいずれか一方の型にスライドコアを設けるとともに、いずれか他方の型に前記スライドコアに穿設された貫通孔に挿通される傾斜部材を設け、前記固定型及び前記可動型の開閉方向への型開き動作に応じて、前記傾斜部材により前記スライドコアを前記金型開閉方向に対して交差する方向に移動するようにした金型のスライドコア駆動機構であって、前記スライドコアに連結し、前記金型の開閉方向に対して交差する方向に移動する駆動体を設け、前記スライドコアが傾斜部材により移動後、前記駆動体によりさらに移動できるようにしたことを特徴とする金型のスライドコア駆動機構。
【発明の詳細な説明】
【技術分野】
【０００１】  本発明は、樹脂成形金型によりアンダーカット部を有する樹脂成形品を成形する金型のスライドコアの駆動機構に関し、特に型締めおよび型開き動作に関連して動作されるスライドコアの動作ストロークを大きく確保できるようにした金型のスライドコア駆動機構に関する。
【背景技術】
【０００２】  従来は、アンダーカット部を有する樹脂成形品を成形するために使用される樹脂成形金型には、そのコア型（固定型）及びキャビティ型（可動型）の型締め及び型開き方向に対して交差方向へ移動するスライドコアが知られている。【０００３】  例えば、特許文献１には図４（特許文献１の図１相当）に示すように、型締め時に固定側金型２００と可動側の二つ割り型１００ａ，１００ｂが形成するキャビティ１３０の型開き方向に対して直角方向のパーティングライン１１０に対応する一対のアンダーカット凸部１１１ａ，１１１ｂを持つ取り出しブロック１１０ａ，１１０ｂを二つ割り型に設ける。傾斜ピン１２０ａ，１２０ｂが固定側金型２００に固定され、可動側の二つ割り型１００ａ，１００ｂにガイド孔が傾斜してあけられ、ここに傾斜ピン１２０ａ，１２０ｂが挿入されて摺動する。【０００４】  傾斜ピン１２０ａ，１２０ｂにより型開き方向に対して直角方向に開き始めた割り型のパーティングライン１１０の位置に対応して設けられた取出ブロック１１０ａ，１１０ｂのアンダーカット凸部１１１ａ，１１１ｂによって成形品１５０が固定側金型から離型される。【０００５】  また、特許文献２には図５（特許文献２の図１相当）に示すように、樹脂成形金型コア型３００、キャビティ型３０１から構成される。スライドコア３０２をガイドレール３０３に水平方向動作させるためのアンギュラピン３０４は、キャビティ型３０１との取付端からその中間部にかけて、キャビティ型３０１の開閉動作方向に対して比較的急傾斜の軸心である急傾斜部分３０４Ａと、さらにそのアンギュラピン３０４の中間部よりその先端にかけて上記比較的急傾斜の軸心よりも比較的緩傾斜の軸心である緩傾斜部分３０４Ｂを形成して、スライドコア３０２にアンギュラピン３０４を貫通させている。【０００６】  キャビティ型３０１を上昇させて型開きを行なうと、半ば開放されるまでは、アンギュラピン３０４において、急傾斜部分３０４Ａで案内されてスライドコア３０２が比較的遅い速度で移動する。さらにキャビティ型３０１が上昇して型開きすると緩傾斜部分３０４Ｂで案内される。【０００７】
【特許文献１】特開平１１−７７６９７号（第２−３ページ、図１）
【特許文献２】特開２０００−２８９０３５号（第３ページ、図１）
【発明の開示】
【発明が解決しようとする課題】
【０００８】  しかしながら、従来１（特許文献１）においては、アンダーカットが非常に長い場合には傾斜ピンを傾けなければならず、この際には型締め又は型開き方向の分力が小さくなり二つ割り型の動作が円滑でなくなるという問題がある。【０００９】  また、従来２（特許文献２）においては、アンギュラピン３０４がくの字状に曲がっていることから型開き時にはスライドコアに無理な力が作用し円滑に動作しないという問題がある。【００１０】  上記問題を解決するために、本発明はアンダーカットが非常に長くても円滑に型開きができる金型のスライドコアの駆動機構を提供することを目的とする。
【課題を解決するための手段】
【００１１】  上記課題を解決するために、請求項１に記載の発明は、固定型もしくは可動型のいずれか一方の型にスライドコアを設けるとともに、いずれか他方の型に前記スライドコアに穿設された貫通孔に挿通される傾斜部材を設け、前記固定型及び前記可動型の開閉方向への型開き動作に応じて、前記傾斜部材により前記スライドコアを前記金型開閉方向に対して交差する方向に移動するようにした金型のスライドコア駆動装置であって、前記スライドコアに連結して金型の開閉方向に対して交差する方向に移動する駆動装置を設け、前記スライドコアが傾斜部材により移動後、前記駆動体によりさらに移動できるようにしたことを特徴とする。
【発明の効果】
【００１２】  上記請求項１に記載の発明は、金型の開閉方向に対して交差する方向への移動を傾斜部材によるスライドコアの移動と駆動体による移動を組み合わせたことにより、長いスライドコアを必要とせず、小型の駆動体で移動を補助する長いストロークが得られ、金型を小型化できる。
【発明を実施するための最良の形態】
【００１３】  本発明の実施例について、図面を用いて詳細に説明する。
【実施例】
【００１４】  図１において、固定型１は固定側取付板２に取り付けられ、図示しない射出成形機に固定される。固定型１には樹脂成形品２０の一方側が彫りこんである。可動型３は図示しない射出成形機に移動可能に取り付けられた可動側取付板４に取り付けられる。可動型３に樹脂成形品２０の他方側が彫り込んである。固定型１と可動型３とを重ね合わせてキャビティ５が形成される。【００１５】  固定型１にはスライドコア６が左右方向に移動できるように支持される。スライドコア６の左端面には長いピン７が固定され、キャビティ５の奥深くまで挿入される。ピン７の形状は棒状でも平板状であってもよい。スライドコア６には傾斜孔８が開いている。ピン７は本発明にいう「長尺部材」に相当する。【００１６】  可動型３には固定部材９が固定され、固定部材９には傾斜孔１０が開けられ、この傾斜孔１０には傾斜ピン１１が挿入され固定される。傾斜ピン１１は金型が閉じているときに前記のスライドコア６の傾斜孔８に挿入され可動型３の右端面にスライドコア６を押圧する。傾斜ピン１１は本発明にいう「傾斜部材」に相当する。【００１７】  固定型１の右端にはエアシリンダ１２が固定される。エアシリンダ１２に内蔵されるロッド１３にはプレート１４が固定され、プレート１４の端部にはロッド１５が固定され、ロッド１５の他端はスライドコア６の右端面に連結される。エアシリンダ１２は図示しない空気圧制御装置により左右方向に作動される。エアシリンダ１２はこれに限定されず、油圧シリンダまたは電動モータであっても同様に作動する。エアシリンダ、油圧シリンダ、電動モータ等は本発明にいう「駆動体」に相当する。【００１８】  次に作用について、図１から図３を用いて詳細に説明する。射出成形前は図１に示すように、固定型１と可動型３とが重ね合わさってキャビティ５を形成する。傾斜ピン１１はスライドコア６に挿入され、最左端に位置する。従って、長尺部材７がキャビティ５の奥深く挿入している。このとき、エアシリンダ１２のロッド１３は最も左端側によっており、スライドコア６を固定型１の右端面に押圧している。【００１９】  この状態で、図示しない射出シリンダから溶融樹脂をキャビティ５内へ射出することにより樹脂成形品が形成される。次に、溶融樹脂が冷却されて固化すると、図２に示すように、可動型３が上方へ移動する。傾斜ピン１１が傾斜していることから、傾斜孔８からスライドコア６が抜けるとき、傾斜ピン１１の押圧力によりスライドコア６を右方向へ距離Ｌ２分移動させる。傾斜ピン１１が傾斜孔８から距離Ｌ２分抜けるとスライドコア６は移動を停止する。距離Ｌ２の長さは、傾斜ピン１１の角度が型開き方向軸線に対して近いほど短くなり、逆に、傾斜ピン１１の角度が型開き方向軸線に対して遠いほど長くなる。傾斜ピン１１が傾斜孔８から抜け出ると、すなわち、距離Ｌ１分移動すると図示しない位置センサにより可動型３の位置を検出してスライドコア６の移動が停止する。【００２０】  続いて、図３に示すように、図示しない位置センサにより、可動型３もしくはスライドコア６の位置を検出して、エアシリンダ１２を作動させ、ロッド１３をさらに右方向に移動させることにより距離Ｌ３分移動させる。このよう���してピン７が樹脂成形品２０から抜け出る。以上の動作は図示しない成形機制御装置により制御される。【００２１】  したがって、スライドコア６の短い初期移動量Ｌ２を傾斜ピン１１で移動させ、続いてエアシリンダ１２によりさらに右方へ距離Ｌ３分移動させて、長い距離をスライドコアとエアシリンダの組み合わせで移動させるので、長いスライドコアを必要とせず、小型の駆動体で移動を補助する長い移動量が得られ、金型を小型化できる。さらに、傾斜ピンに無理な負荷をかけることなくアンダーカットの長い樹脂成形品を成形することができる。【００２２】  本実施例では、スライドコアを固定側に取り付けたスライドコア駆動装置を説明したが、固定型を可動型とし、可動型を固定型としても相対的な動きは同様である。
【図面の簡単な説明】
【００２３】
【図１】実施例における型締め時の状態を示す縦断面図である。
【図２】図１における型が半開きの状態を示す縦断面図である。
【図３】図１における型が全開した時の状態を示す縦断面図である。
【図４】（ａ）は、従来１である成形品離型機構を組み込んだ射出成形用金型の構造を示す図、（ｂ）は、型開きの状態を示す説明図、（ｃ）は成形品のパーティングラインに、取出ブロックのアンダーカット凸部が当接する状態を示す説明図である。
【図５】従来２であるスライドコア駆動機構を示す説明図である。
【符号の説明】
【００２４】１：固定型
３：可動型
６：スライドコア
７：ピン（長尺部材）
８：傾斜孔
１１：傾斜ピン（傾斜部材）
１２：エアシリンダ（駆動体）
【図１】
2006056226.tif 000003
【図２】
2006056226.tif 000004
【図３】
2006056226.tif 000005
【図４】
2006056226.tif 000006
【図５】
2006056226.tif 000007